(57)【要約】【課題】膜状の吐水流が広範囲で吐水される吐水装置を備えながら外観意匠性及びリラックス効果に優れた浴槽装置を提供する。【解決手段】本発明の浴槽装置（１００）は、浴槽（１０１）と、前記浴槽の周りに配置され、膜状の水流を吐水する吐水装置（１）と、を備え、前記吐水装置は、給水路と、スリット状に開口する吐水口（２）と、前記給水路と前記吐水口との間に設けられ、前記吐水口から膜状の水流を吐水可能に構成される膜状水形成機構と、を備え、前記吐水口は、前記浴槽の内壁に設けられていることを特徴とする。【選択図】図１
2019170800.tif 000002
【特許請求の範囲】
【請求項１】
浴槽と、
前記浴槽の周りに配置され、膜状の水流を吐水する吐水装置と、を備え、
前記吐水装置は、
給水路と、
スリット状に開口する吐水口と、
前記給水路と前記吐水口との間に設けられ、前記吐水口から膜状の水流を吐水可能に構成される膜状水形成機構と、を備え、
前記吐水口は、前記浴槽の内壁に設けられていることを特徴とする浴槽装置。
【請求項２】
前記浴槽の前記内壁にオーバーフロー孔を備え、
前記オーバーフロー孔は、前記吐水口よりも低い位置に形成されている請求項１に記載の浴槽装置。
【請求項３】
前記浴槽が平面視略矩形状に形成され、
前記吐水口は、前記浴槽の第一内壁の略全幅にわたって設けられている請求項１または請求項２に記載の浴槽装置。
【請求項４】
前記吐水口が前記浴槽の内壁の複数の面形状に沿って形成されて、前記吐水口から平面視略Ｕ字型の膜状水流が吐水可能に構成される請求項１または請求項２に記載の浴槽装置。
【発明の詳細な説明】
【技術分野】
【０００１】
本発明は、浴槽装置に関する。
【背景技術】
【０００２】
膜状の水流を吐水する吐水装置が知られている（例えば、特許文献１、特許文献２）。このような吐水装置を浴槽に設置すると、膜状の吐水流が浴槽内に流れ落ち、入浴者が吐水装置の下方の浴槽に背を当てて入浴すると、入浴者の肩に吐水流が掛かり、リラックス効果が得られ、また、膜状の吐水流が浴槽内に流れ落ちると美観に優れ、付加価値の高いバスルームが提供できる。
【先行技術文献】
【特許文献】
【０００３】
【特許文献１】特許第４０６６４５９号公報
【特許文献２】特開２００２-１５３３９１号公報
【発明の概要】
【発明が解決しようとする課題】
【０００４】
特許文献２の浴槽用吐水装置では、浴槽の上方に突出する状態で浴槽と一体で形成された背当て部が形成され、背当て部の上部に吐水装置が設けられている。つまり、浴槽の上方に吐水装置を配置するため、背当て部の周囲に吐水装置の設置スペースを確保する必要がある。その結果、設置スペースが限られた浴室に浴槽を設ける場合、浴槽の寸法が小さくなる。また、背当て部が大型化し、外観意匠性の点で課題となる。
【０００５】
特許文献１の吐水装置は、吐水口が浴槽の縁部から浴槽の内側に突出している。このため、吐水口の突出部分が入浴者の首等に当たり、入浴者が浴槽に背を当ててリラックスした体勢で吐水流を浴びることが出来ず入浴し難い。
【０００６】
上記事情を踏まえ、本発明は、膜状の吐水流が広範囲で吐水される吐水装置を備えながら外観意匠性に優れた浴槽装置を提供することを目的とする。
【課題を解決するための手段】
【０００７】
本発明に係る浴槽装置は、浴槽と、前記浴槽の周りに配置され、膜状の水流を吐水する吐水装置と、を備え、前記吐水装置は、給水路と、スリット状に開口する吐水口と、前記給水路と前記吐水口との間に設けられ、前記吐水口から膜状の水流を吐水可能に構成される膜状水形成機構と、を備え、前記吐水口は、前記浴槽の内壁に設けられていることを特徴とする。
【０００８】
この発明によれば、浴槽の周りに吐水装置が配置され、膜状水形成機構により浴槽の内壁に設けられた吐水口から膜状の水流が吐水される。この結果、浴槽の周りに生じる隙間を吐水装置の収納スペースとして有効活用できる。また、外観上、浴槽の内壁面に吐水口のみが見えるため、浴槽の周囲に凹凸の少ないシンプルな外観の浴室とすることができる。さらに、浴槽の上方に吐水装置を設ける従来技術に比べて、フランジ上に凹凸や小さい隙間が生じることがなく、浴槽の周囲が清掃しやすい。
【０００９】
本発明に係る浴槽装置では、前記浴槽の前記内壁に、オーバーフロー孔を備え、前記オーバーフロー孔は、前記吐水口よりも低い位置に形成されていてもよい。
【００１０】
この発明によれば、オーバーフロー孔により、浴槽内の水位が上昇してオーバーフロー孔まで達したときに、オーバーフロー孔から浴槽外へ排出される。したがって、浴槽内の貯水量の上限が決まる。オーバーフロー孔は、吐水口よりも低い位置に形成されているため、浴槽内に貯められた水が吐水口に達することがなく、吐水口に浴槽内に貯められた水が逆流することを防止できる。
【００１１】
本発明に係る浴槽装置では、前記浴槽が平面視略矩形状に形成され、前記吐水口は、前記浴槽の第一内壁の略全幅にわたって設けられていてもよい。
【００１２】
この発明によれば、平面視略矩形状の浴槽の第一内壁の略全幅にわたって吐水口が設けられているため、広い範囲で膜状の水流を吐水できる。したがって、入浴者が第一内壁に背を当てて入浴すれば、入浴者の肩周りの広い範囲に膜状の水流を掛けることができる。また、第一内壁の略全幅にわたって膜状の流水が吐水されることにより、外観意匠性に優れる浴槽装置を提供できる。
【００１３】
本発明に係る浴槽装置では、前記吐水口が浴槽の内壁の形状に沿って形成されて、前記吐水口から平面視略Ｕ字型の膜状水流が吐水可能に構成されてもよい。
【００１４】
この発明によれば、吐水口が浴槽の内壁の前記浴槽の内壁の複数の面形状に沿って形成されており、膜状水形成機構により吐水口から平面視略Ｕ字型の膜状の水流が吐水される。この結果、浴槽内の複数の面に吐水口が形成されて膜状の水流が広範囲で吐水されるため、入浴者の肩から腕までの広範囲に膜状の水流を掛けることができる。
【発明の効果】
【００１５】
本発明によれば、膜状の吐水流が広範囲で吐水される吐水装置を備えながら外観意匠性に優れた浴槽装置を提供できる。
【図面の簡単な説明】
【００１６】
【図１】本発明の第一実施形態に係る浴槽装置の一例を示す斜視図である。
【図２】本発明の第一実施形態に係る浴槽装置の構成を示す模式図である。
【図３】本発明の第一実施形態の吐水装置の給水系を模式的に示す構成図である。
【図４】本発明の第一実施形態の吐水装置の内部構造を示す縦断面図である。
【図５】本発明の第一実施形態の吐水装置の内部構造を模式的に示す縦断面図である。
【図６】本発明の第一実施形態の変形例の吐水装置の内部構造を模式的に示す縦断面図である。
【図７】本発明の第一実施形態の変形例の吐水装置を示す縦断面図である。
【図８】本発明の第二実施形態に係る浴槽装置を示す斜視図である。
【図９】本発明の第二実施形態の吐水装置の位置を示す平面図である。
【図１０】本発明の第二実施形態の変形例の膜状水形成機構の位置を示す平面図である。
【図１１】本発明の浴槽装置における浴槽と吐水装置との接続態様の変形例を示す断面図である。
【図１２】本発明の第二実施形態の浴槽装置の変形例を示す斜視図である。
【図１３】本発明の第二実施形態の浴槽装置の変形例を示す平面図である。
【発明を実施するための形態】
【００１７】
（第一実施形態）
以下、本発明の第一実施形態に係る吐水装置について図面を用いて説明する。
図１は本実施形態に係る浴槽装置の一例を示す斜視図である。図２は、本実施形態に係る浴槽装置の構成を示す模式図である。
【００１８】
図１に示すように、浴槽装置１００は、湯または水（以下、単に「湯」と記載する。）が溜まる浴槽本体（浴槽）１０１と、フランジ１０２とを備える。浴槽本体１０１は平面視略長方形状を有する。フランジ１０２は、浴槽本体１０１の上端部から外側に略水平方向に延び、外周縁部が平面視略長方形状を有する。
【００１９】
図１に示すように、浴槽本体１０１は、底部１０８と、底部１０８の縁部から立設される４つの内壁１０３，１０４，１０５，１０９（図２参照）を備える。Ｘ方向に沿う浴槽本体１０１の２つの短辺１０１１,１０１４のうちの一辺である第一辺１０１１側の第一内壁１０３は、浴槽本体１０１の底部１０８からフランジ１０２に向かって外側に傾斜して形成されている。本実施形態に係る浴槽装置１００では、第一内壁１０３に入浴者が背を向けて入浴するように設定されている。第一内壁１０３は、入浴者が第一内壁１０３に背を当てて入浴した場合に、入浴者がリラックスできるような傾斜角度に設定されている。第一辺１０１１と平行な第四辺１０１４側には、第一内壁１０３と対向する第四内壁１０９を備える。
【００２０】
浴槽本体１０１は、第一内壁１０３のＸ方向の両端部から略直交してＹ方向（第二方向、第三方向）に延びる第二内壁１０４及び第三内壁１０５を備える。第二辺１０１２及び第三辺１０１３は、浴槽本体１０１の長辺である。
【００２１】
図１に示すように、第一内壁１０３にはＸ方向に延びるスリット状の開口部１１０が形成されている。開口部１１０は、フランジ１０２の最下端よりも下側の内壁面に形成されている。本実施形態では、開口部１１０は、第一内壁１０３の上端部よりもやや低い位置に形成されている。また、開口部１１０は、第一内壁１０３の略全幅にわたって形成されている。図２に示すように、吐水口２は、第一内壁１０３の内外に貫通する開口部１１０に配設されている。
【００２２】
第四内壁１０９には、オーバーフロー孔１１７が形成されている。オーバーフロー孔１１７は、浴槽本体１０１内の水位が上昇してオーバーフロー孔１１７まで達したときに、オーバーフロー孔１１７から湯が浴槽本体１０１外へ排出される。したがって、オーバーフロー孔１１７は、浴槽本体１０１内の貯水量の上限ｈ２を規定する。図２に示すように、底部１０８からオーバーフロー孔１１７までの高さｈ３は、底部１０８から吐水口２までの高さｈ１よりも低い。つまり、オーバーフロー孔１１７は、吐水口２よりも低い位置に形成されている。
【００２３】
吐水装置１は、後述する吐水口２から浴槽本体１０１内に向かって膜状の水流Ｗが吐水される装置である。図１に示すように、本実施形態に係る吐水装置１は、フランジ１０２の下方に配置されている。吐水装置１は、浴槽本体１０１の周りに設けられている。吐水装置１は、フランジ１０２の下方に配置されている。具体的には、吐水装置１は、第一内壁１０３の外側であってフランジ１０２の下方に配置されている。浴槽本体１０１の外周は、エプロンや、浴室の壁面によって覆われる。吐水装置１は、浴槽本体１０１と、エプロンまたは浴室壁面との間に生じる隙間に収容される。
【００２４】
吐水装置１は、吐水口２と、給水路４と、膜状水形成機構３と、を備える。
図３は、吐水装置１の給水系を模式的に示す構成図である。図３に示すように、給水路４は、浴槽本体１０１に設けられている循環口１０７（図１参照）と膜状水形成機構３とに接続されている。給水路４には、ポンプＰを備え、浴槽本体１０１内に溜められる湯が給水路４を介して膜状水形成機構３側に供給される。したがって、給水路４、膜状水形成機構３、及び吐水口２を介して、浴槽本体１０１内に溜められる湯が循環する。オーバーフロー孔１１７から浴槽本体１０１外へ排出された湯は、浴槽本体１０１の底部１０８に形成された排水口１１９とともに排水路に接続されて排水される。
【００２５】
図４は、本実施形態に係る浴槽本体１０１及び吐水装置１の内部構造を示す縦断面図である。図４は、第一内壁１０３におけるＹ方向の縦断面図を示している。吐水装置１は、膜状水形成機構３を備える。膜状水形成機構３は、給水路４と連結される下部材３６と、下部材３６の上方に設けられる上部材５と、隔壁３０とにより構成されている。
【００２６】
下部材３６には、Ｚ方向に貫通する貫通部３６１が形成されている。貫通部３６１のＹ方向の両端部には、内上端部３６３と外上端部３６２とを有する。内上端部３６３は、貫通部３６１のＹ方向の端部から内側壁３６４に向かって上方に傾斜する傾斜面が形成されている。外上端部３６２は、貫通部３６１のＹ方向の端部から外側壁３６５まで水平面が形成されている。外上端部３６２は、内上端部３６３より高い位置に水平面を有する。
【００２７】
上部材５は、下部材３６の外上端部３６２上に配置される。上部材５の下面には、下突出部５１と、凹部５２と、傾斜部５３と、を備える。下突出部５１は、下部材３６の外上端部３６２と当接する位置に下方に突出している。凹部５２は、下突出部５１とＹ方向に隣接し、上方に窪んで形成されている。傾斜部５３は、凹部５２における下突出部５１とは反対側の端部に隣接し、凹部５２との境界部から内側壁５５に向かって上方に傾斜している。
【００２８】
貫通部３６１の開口上部を覆うように隔壁３０が配置されている。凹部５２は、下部材３６の貫通部３６１及び隔壁３０の上方に配置されている。外上端部３６２に下突出部５１が当接して配置される。
【００２９】
傾斜部５３は、下部材３６の内上端部３６３とＺ方向に対向配置され、傾斜部５３と下部材３６の内上端部３６３との間に絞り流路３５が形成される。絞り流路３５の下流端には、下部材３６の内側壁３６４及び上部材５の内側壁５５がそれぞれ第一内壁１０３側にＹ方向に突出する第一突出部２０１及び第二突出部２０２を有する。第一突出部２０１と第二突出部２０２との間の隙間が吐水口２となる。
【００３０】
膜状水形成機構３は、隔壁３０で隔てられて上下方向に並ぶ第一室３１と第二室３２とを備える。第一室３１及び第二室３２は吐水口２に沿ってＸ方向及びＹ方向に延設されている。隔壁３０よりも下方の貫通部３６１の空間が第一室３１となり、隔壁３０及び凹部５２により囲まれた空間が第二室３２となる。
【００３１】
図４に示すように、第一室３１の下端部には、給水路４と接続される流入口３３が形成されている。流入口３３の開口面積は第一室３１の平面積より小さい。第二室３２には、吐水口２と連通する排出口３４が形成されている。排出口３４と吐水口２との間には、絞り流路３５が形成されている。
【００３２】
隔壁３０には、上下方向に貫通する連通部４２が形成されており、連通部４２を介して第一室３１と第二室３２とが連通している。連通部４２は、第一室３１及び第二室３２の平面積に対して十分に小さい開口である。連通部４２は、膜状水形成機構３の延設方向（Ｘ方向ならびにＹ方向）に間隔を開けて複数形成されている。
【００３３】
図５は膜状水形成機構３の構成を模式的に示す縦断面図である。図５を参照して、膜状水形成機構３の作用を説明する。流入口３３を介して給水路４から供給される湯は、第一室３１内に広がり満水となり、連通部４２を介して第二室３２に流入する。第二室３２に流入した湯は、排出口３４から絞り流路３５を介して吐水口２に向かって流れる。膜状水形成機構３では、流入口３３から吐水口２までの湯の流路における以下の作用により、膜状の水流Ｗが吐水口２から吐水される。
【００３４】
まず、隔壁３０が設けられているため、流入口３３から第一室３１に流入した湯が一気に第二室３２に流入せず、Ｚ方向に流入した湯は、第一室３１内で水勢が分散される。続いて、第一室３１内で分散された湯は連通部４２を経由して第二室３２に流入する。連通部４２の開口面積は、第一室３１及び第二室３２の平面積に対して十分に小さいため、第一室３１内の水勢の影響を受けずに、所定の水勢で第二室３２に流入する。第二室３２においても、第一室３１と同様に湯の水勢が分散され、第二室３２内での水勢のムラを低減させる。
【００３５】
次に、絞り流路３５は、スリット状の吐水口２に連通し、Ｚ方向への隙間が小さく、水平方向に広い扁平状の空間である。そのため、第二室３２内で水勢が分散された湯が、第二室３２の容積に対して十分に小さい開口である排出口３４に流入し、絞り流路３５内で水圧が上昇し、吐水口２への水勢が増す。絞り流路３５及び吐水口２はＸ−Ｙ方向（水平方向）に比べてＺ方向の隙間が小さいため、高水圧の湯が吐水口２から吐水されると、膜状の水流Ｗが水平方向に流出する。
また、連通部４２がＸ方向に間隔を開けて複数形成されているため、吐水口２から吐出される水勢は、吐水口２が延びる方向にムラがなく均質な膜状の水流Ｗが形成される。
【００３６】
吐水口２は、第一内壁１０３のＸ方向の略全幅にわたって設けられている。第一突出部２０１及び第二突出部２０２は、第一内壁１０３の開口部１１０内に挿入され、開口部１１０との間に防水処理が施されて配置されている。図４に示すように、第一突出部２０１及び第二突出部２０２は、開口部１１０において、第一内壁１０３と略面一となるように配置されている。
【００３７】
図２に示すように、吐水口２は、浴槽本体１０１の上端部よりやや下方に配設されている。吐水口２は、大人の入浴者が第一内壁１０３に背を当てて入浴した場合に、膜状の水流が入浴者の肩を包むように吐水される。上述の通り、浴槽本体１０１内の湯の高さｈ２がオーバーフロー孔１１７まで達した場合、湯はオーバーフロー孔１１７から流出する。吐水口２は、オーバーフロー孔１１７よりも高い位置に設けられている。そのため、浴槽本体１０１内に溜められた湯が増えても、浴槽本体１０１の上端部よりも下方に設けられている吐水口２に到達することがない。したがって、浴槽本体１０１内に溜められた湯が満水になり吐水口２に逆流することがない。
【００３８】
本実施形態に係る浴槽装置１００によれば、浴槽本体１０１の側方に吐水装置１が配置され、膜状水形成機構３により浴槽本体１０１の第一内壁１０３に形成された開口部１１０に配置された吐水口２から膜状の水流が吐水される。この結果、浴槽本体１０１の外側周りに生じる隙間を吐水装置１の収納スペースとして有効活用できる。また、外観上、浴槽本体１０１の内壁面に吐水口２のみが見えるため、凹凸の少ないシンプルな外観の浴室とすることができる。さらに、浴槽本体の上方に吐水装置を設ける従来技術に比べて、フランジ１０２上に凹凸や小さい隙間が生じることがなく、浴槽本体１０１の周囲が清掃しやすい。
【００３９】
本実施形態に係る浴槽装置１００によれば、浴槽本体１０１にオーバーフロー孔１１７を備えるため、浴槽本体１０１内の水位が上昇してオーバーフロー孔１１７まで達したときに、オーバーフロー孔１１７から浴槽本体１０１外へ湯が排出される。浴槽本体１０１内の貯水量の上限が決まるオーバーフロー孔１１７が、吐水口２よりも低い位置に形成されているため、浴槽本体１０１内に貯められた水が吐水口２に達することがなく、吐水口２に浴槽本体１０１内に貯められた水が逆流することを防止できる。
【００４０】
本実施形態に係る浴槽装置１００によれば、平面視略矩形状の浴槽本体１０１の第一内壁１０３の略全幅にわたって吐水口２が設けられているため、広い範囲で膜状の水流を吐水できる。したがって、入浴者が第一内壁１０３に背を当てて入浴すれば、入浴者の肩周りの広い範囲に膜状の水流を掛けることができる。また、第一内壁１０３の略全幅にわたって膜状の流水が吐水されることにより、外観意匠性に優れる浴槽装置１００を提供できる。
【００４１】
本実施形態では、スリット状の開口部１１０に吐水口２のみを設ける例を示したが、この例に限定されず、吐水口２が浴槽本体１０１の内壁に設けられていればよい。図６及び図７に示す変形例のように、吐水装置１の一部が第一内壁１０３に露出する構成であってもよい。図６は本実施形態に係る浴槽装置１００の変形例の内部構造を模式的に示す縦断面図である。図７は、本実施形態の変形例の吐水装置１Ａを示す縦断面図である。
【００４２】
図６及び図７に示すように、第一内壁１０３の開口部１１０Ａは、吐水装置１の吐水口２側の面の大きさに対応して形成されており、第一実施形態の開口部１１０に比べて大きい。
【００４３】
図７に示すように、吐水装置１Ａは、第一実施形態の第一突出部２０１及び第二突出部２０２を備えず、下部材３６の内側壁３６４及び上部材５の内側壁５５の構成が第一実施形態と異なる。その他の構成は第一実施形態と同様であるため、同一の符号を付して説明を省略する。
【００４４】
下部材３６Ａの内側壁３６４Ａ及び上部材５Ａの内側壁５５Ａは、第一内壁１０３と面一となる位置までＹ方向に延出ている。下部材３６Ａの内側壁３６４Ａ及び上部材５Ａの内側壁５５Ａは、第一内壁１０３の傾斜角度に沿って傾斜している。
【００４５】
下部材３６Ａの内側壁３６４Ａ及び上部材５Ａの内側壁５５Ａが第一内壁１０３の開口部１１０Ａに係合されて、防水処理が施される。
【００４６】
本変形例の浴槽装置１００Ａによれば、第一実施形態と同様に、浴槽本体１０１の外側周りに生じる隙間を吐水装置１の収納スペースとして有効活用できる。また、外観上、浴槽本体１０１の内壁面に吐水口２のみが見えるため、凹凸の少ないシンプルな外観の浴室とすることができる。また、本変形例の浴槽装置１００Ａによれば、吐水装置１の一部が第一内壁１０３に露出するように開口部１１０Ａに係合される構成であるため、吐水装置１を浴槽本体１０１に着脱しやすい。例えば、エプロンを外した後、吐水装置１と給水路４との接続を外し、吐水装置１を開口部１１０Ａから外す作業が容易に行える。したがって、メンテナンス作業が容易となる。
【００４７】
この他の例を図１１に示す。図１１は、浴槽装置１００における浴槽本体１０１と吐水装置１との接続態様の変形例を示す断面図である。図１１に示す例では、吐水口２の形状に合わせたスリット状の開口部７１を備える略平板形状のカバー部材７を用い、カバー部材７を第一内壁１０３に係合させ、カバー部材７の裏側に吐水装置１を配置する例である。この場合、第一内壁１０３の開口部１１０に、第一内壁１０３側からカバー部材７を係合させ、吐水装置１の吐水口２とカバー部材７の開口部７１とを接続する構成であってもよい。このような構成とすれば、カバー部材７を浴槽本体１０１の内側から外して、吐水装置１のメンテナンスが行える。
【００４８】
（第二実施形態）
本発明に係る浴槽装置の第二実施形態について図８及び図９を用いて説明する。図８は、第二実施形態に係る浴槽装置１００Ｂを示す斜視図である。図９は、第二実施形態の吐水装置１Ｂの位置を示す平面図である。なお、以下の説明において、上記の第一実施形態と同様の構成には第一実施形態と同一の符号を付し、重複する説明を省略する。
【００４９】
本実施形態に係る浴槽装置１００Ｂは、吐水口２が浴槽本体１０１の三方に延びる内壁１０３，１０４，１０５に形成されている点が第一実施形態と異なる。図８に示すように、吐水口２Ｂは、浴槽本体１０１の３つの内壁１０３，１０４，１０５に形成され、平面視で三方向に延びて形成されている。
【００５０】
図８に示すように、第一内壁１０３、第二内壁１０４、及び第三内壁１０５に水平方向に延びて形成される平面視略Ｕ字形状のスリット状の開口部１１０Ｂが形成されている。吐水口２Ｂは、開口部１１０Ｂに配置されている。
【００５１】
吐水口２Ｂは、第一内壁１０３の略全幅にわたって設けられる第一吐水口２１と、第二内壁１０４に設けられる第二吐水口２２と、第三内壁１０５に設けられる第三吐水口２３とを有する。吐水口２Ｂは、第一実施形態と同様に浴槽本体１０１の上縁部よりやや下方に設けられている。第二吐水口２２と第三吐水口２３とは、互いに向き合う方向に開口している。第一吐水口２１、第二吐水口２２、及び第三吐水口２３は、連続して形成されている。吐水装置１Ｂは、平面視略Ｕ字型の膜状水流が吐水可能に構成される。吐水装置１Ｂは、第一実施形態と同様の膜状水形成機構３を備える。膜状水形成機構３は、第一辺部、第二辺部及び第三辺部で同様の構造を有する。したがって、第一辺部、第二辺部及び第三辺部の膜状水形成機構３は図４と同様の断面形状を有する。
【００５２】
図８及び図９に示すように、吐水口２Ｂの第一吐水口２１は第二吐水口２２及び第三吐水口２３より長い。ここで、平面視において、入浴者が背を当てて入浴する第一内壁１０３が延びる短辺方向（図８に示すＸ方向）を幅方向と称する。幅方向に直交する方向（図８に示すＹ方向）を奥行方向と称する。図９に示すように、吐水口２Ｂは、幅方向における吐水口２２，２３の端部間の最大離間距離Ｌ１と、奥行方向における寸法Ｌ２，Ｌ３との比がＬ１：Ｌ２（Ｌ３）＝１：０．１５〜０．７である。本実施形態では、第二吐水口２２と第三吐水口２３とは同じ寸法で形成されているため奥行方向の寸法Ｌ２と寸法Ｌ３とは等しい。例えば、最大離間距離Ｌ１が８００ｍｍであり、寸法Ｌ２，Ｌ３が４００ｍｍである。
【００５３】
最大離間距離Ｌ１は、第二吐水口２２と第三吐水口２３との幅方向における離間距離の最大値である。本実施形態では、平面視略長方形の浴槽本体１０１の上縁部の形状に沿って吐水口２が設けられている。そのため、第二吐水口２２と第三吐水口２３との離間距離は等しい。
【００５４】
吐水口２Ｂは、幅方向における吐水口２２，２３の端部間の最大離間距離Ｌ１と、奥行方向における寸法Ｌ２，Ｌ３との比がＬ１：Ｌ２（Ｌ３）＝１：０．１５〜０．７の範囲であると、第二吐水口２２及び第三吐水口２３から入浴者の腕に十分に膜状の水流が吐水できる。なお、第二吐水口２２及び第三吐水口２３の奥行方向（Ｙ方向）の長さは、浴槽本体１０１の第二内壁１０４及び第三内壁１０５と略等しい長さであってもよい。
【００５５】
なお、浴槽本体１０１の平面視形状が矩形でない場合がある。例えば、図１２及び図１３に示す変形例のように、浴槽本体１０１Ｃが平面視で略長丸円形状の場合がある。図１２及び図１３に示す浴槽本体１０１Ｃの場合、第一内壁１０３Ｃが、幅方向（図１３に示すＸ方向）の中央部から第二内壁１０４Ｃ及び第三内壁１０５Ｃ側に向かって湾曲して形成されている。そのため、吐水口２Ｃも浴槽本体１０１Ｃの上縁部形状に倣って湾曲して形成されている。この場合、第二吐水口２２Ｃと第三吐水口２３Ｃとの間の最大離間距離Ｌ１は、奥行方向（図１３に示すＹ方向）における第二吐水口２２Ｃ及び第三吐水口２３Ｃの第一吐水口２１Ｃ側とは反対側の端部２２ｅ，２３ｅ間の離間距離である。平面視において、第一内壁１０３の幅方向の中央部が最も窪んでいる位置になるため、奥行方向（方向Ｙ）における寸法Ｌ２，Ｌ３は、第一吐水口２１Ｃの幅方向の中央部の点Ｍと、第二吐水口２２Ｃまたは第三吐水口２３Ｃの端部２２ｅ，２３ｅとの奥行方向の長さである。
【００５６】
図８に示す第二実施形態の説明に戻る。吐水装置１は、図８に示すように、吐水口２Ｂに沿った平面視略Ｕ字型を有する。
図９に示すように、吐水装置１Ｂは、第一内壁１０３側にＸ方向（第一方向）に延びる第一辺部１１と、第一辺部１１の両端部からＹ方向（第二方向、第三方向）に延びる第二辺部１２及び第三辺部１３とを備える。第二辺部１２と第三辺部１３とは略平行に延設されている。吐水装置１Ｂは、フランジ１０２の下方に配置されている。
【００５７】
第一辺部１１、第二辺部１２、及び第三辺部１３の内部には、膜状水形成機構３が配設されており、フランジ１０２の下方に設けられる給水路４と接続されている。膜状水形成機構３は、給水路４から供給された湯を膜状の水流Ｗとして吐水口２から吐水させる機構である。膜状水形成機構３は、スリット状の吐水口２に沿って設けられている。膜状水形成機構３の構成は第一実施形態と同じである。
【００５８】
図９及び図１０に、吐水装置１Ｂにおける膜状水形成機構３の配置例を示す。図９に示すように、膜状水形成機構３は、第一辺部１１と、第二辺部１２と、第三辺部１３とに連続して設けられていてもよい。また、図１０に示す変形例のように、第一辺部１１、第二辺部１２、及び第三辺部１３にそれぞれ独立して膜状水形成機構３を設けてもよい。この場合、３つの膜状水形成機構３の各絞り流路３５を水平方向に連通させてもよいし、個別に吐水口２に接続してもよい。また、各辺部１１，１２，１３に設けられる膜状水形成機構３は同一系統で制御してもよいし、個別に制御してもよい。
【００５９】
吐水口２Ｂから吐水される膜状の水流Ｗの水勢は第一吐水口２１、第二辺部１２、及び第三辺部１３について同じ水勢としてもよいし、それぞれ異なる水勢としてもよい。膜状水形成機構３内の流量やスリットのＺ方向の隙間を調整して、各吐水口２１，２２，２３で異なる水勢とすることができる。例えば、第一辺１０１１のＸ方向の寸法が大きい浴槽本体１０１Ａの場合、第二吐水口２２及び第三吐水口２３は、第一吐水口２１の水勢よりも水勢を高め、第二吐水口２２及び第三吐水口２３から吐水される膜状の水流Ｗが入浴者に確実に掛かるようにしてもよい。
【００６０】
本実施形態に係る浴槽装置１００Ｂによれば、第一実施形態と同様に、浴槽本体１０１の外側周りに生じる隙間を吐水装置１の収納スペースとして有効活用できる。また、外観上、浴槽本体１０１の内壁面に吐水口２Ｂのみが見えるため、凹凸の少ないシンプルな外観の浴室とすることができる。
【００６１】
本実施形態に係る浴槽装置１００Ｂによれば、吐水口２Ｂが浴槽本体１０１の複数の内壁１０３，１０４，１０５に三方向に延びて形成されており、膜状水形成機構３により吐水口２Ｂから平面視略Ｕ字型の膜状の水流が吐水される。この結果、浴槽本体１０１内の三方向から膜状の水流が広範囲で吐水される。したがって、第一内壁１０３に入浴者が背を当てて入浴した場合に、入浴者の肩から腕までの広範囲に膜状の水流を掛けることができ、リラックス効果の高い浴槽装置１００Ｂを提供できる。この他、主に下半身を浴槽内の湯に浸ける半身浴の場合、浴室内の温度が低いと上半身が冷える場合がある。本実施形態に係る浴槽装置１００によれば、半身浴時に、湯張り面から出ている首から腕まで広範囲に水流が掛けられるため上半身の保温が可能となる。
【００６２】
本実施形態に係る浴槽装置１００Ｂによれば、第一吐水口２１のＸ方向（幅方向）の両端部から、第一方向Ｘと交差する方向Ｙに延びる第二吐水口２２及び第三吐水口２３を有する。この吐水口２は、最大離間距離Ｌ１と奥行方向における寸法Ｌ２，Ｌ３との比がＬ１：Ｌ２（Ｌ３）＝１：０．１５〜０．７の範囲であるため、吐水口２から吐水される平面視略Ｕ字型の膜状の水流Ｗが、幅方向Ｘに対して奥行方向Ｙが十分に長く、入浴者の肩から腕にかけて十分に膜状の水流Ｗを掛けることができる。この結果、膜状の水流Ｗが入浴者の首から腕までの広範囲に吐水され、リラックス効果の高い浴槽装置１００Ｂを提供できる。
【００６３】
上記実施形態では、浴槽本体１０１の平面視形状が略長方形である例を示したが、浴槽本体１０１の平面視形状はこれに限定されない。例えば、浴槽本体１０１の平面視形状が正方形状、楕円形状等、長方形以外も含む。なお、浴槽本体１０１の平面視形状が正方形状の場合、いずれか一辺の内壁を第一内壁とし、第一内壁に隣接して直交する二辺を第二内壁、第三内壁として、吐水口２が設けられればよい。この他、例えば、浴槽本体の平面視形状が円形や矩形の浴槽であってもよい。このような異形の浴槽本体の場合は、上縁部における最長部と平行な方向を長辺方向という。
【００６４】
例えば、図１２及び図１３に示す変形例のように、浴槽本体１０１Ａの平面視形状が長丸形状であってもよい。浴槽本体１０１Ａの平面視形状が長丸形状の場合、入浴者が入浴時に背を当てる第一内壁１０３と、第一内壁１０３から湾曲して異なる方向に延びる第二内壁１０４及び第三内壁１０５の面形状に沿ってスリット状の開口部１１０Ｃが形成されてもよい。また、本変形例では、浴槽本体１０１Ｃの上端部は、外周縁部まで緩やかな曲面が形成されている。
【００６５】
上記実施形態では、オーバーフロー孔１１７は、第四内壁１０９に設ける例を示したが、オーバーフロー孔１１７を設ける場所はこれに限定されない。オーバーフロー孔１１７は、吐水口２が設けられている第一内壁に入浴者が背を当てて入浴した場合に、オーバーフロー孔１１７が入浴者の体で塞がれることがない位置に設けられればよい。例えば、第二内壁１０４、第三内壁１０５であってもよい。
【００６６】
上記実施形態では、スリット状の開口部１１０Ｂ（吐水口２Ｂ）が水平方向に直線状に形成される例を示したが、スリット状の開口部は、この構成に限定されない。例えば、開口部は、入浴者が入浴時に背を当てる第一内壁１０３の第一吐水口２１が第二吐水口２３及び第三吐水口２３よりも高い位置に形成され、第一吐水口２１の幅方向の両端部と、第二吐水口２２あるいは第三吐水口２３とが曲線状に接続する開口部であってもよい。この場合、オーバーフロー孔１１７は、スリット状の開口部の中で最も低い位置よりも高さが低い位置に形成されている。
【００６７】
以上、本発明の実施形態について図面を参照して詳述したが、具体的な構成はこの実施形態に限られるものではなく、本発明の要旨を逸脱しない範囲の設計変更等も含まれる。
また、上述の実施形態及び各変形例において示した構成要素は適宜に組み合わせて構成することが可能である。
【符号の説明】
【００６８】
１，１Ａ，１Ｂ  吐水装置
２，２Ｂ  吐水口
３  膜状水形成機構
４  給水路
２１  第一吐水口
２２  第二吐水口
２３  第三吐水口
１００，１００Ａ，１００Ｂ，１００Ｃ  浴槽装置
１０２  フランジ
１０３，１０３Ｃ  第一内壁
１０４  第二内壁
１０５  第三内壁
１１７  オーバーフロー孔
【図１】
2019170800.tif 000003
【図２】
2019170800.tif 000004
【図３】
2019170800.tif 000005
【図４】
2019170800.tif 000006
【図５】
2019170800.tif 000007
【図６】
2019170800.tif 000008
【図７】
2019170800.tif 000009
【図８】
2019170800.tif 000010
【図９】
2019170800.tif 000011
【図１０】
2019170800.tif 000012
【図１１】
2019170800.tif 000013
【図１２】
2019170800.tif 000014
【図１３】
2019170800.tif 000015